(57)【特許請求の範囲】
【請求項１】
第一の極性の電位に帯電された多数の第一帯電粒子と、当該第一帯電粒子と逆極性である第二の極性の電位に帯電された多数の第二帯電粒子と、前記第一帯電粒子及び前記第二帯電粒子を泳動可能に分散させる液体分散媒とを、中空球形の透明樹脂のカプセルに封入した多数のマイクロカプセルを備えた記録媒体であって、
前記第一の帯電粒子と、前記第二帯電粒子とは、互いに異なる色であり、
前記多数のマイクロカプセルは、層状に形成され、
前記多数のマイクロカプセルは、複数種類のマイクロカプセルから構成され、
マイクロカプセルの種類毎に、マイクロカプセルに封入された前記第二帯電粒子の色及び前記第二帯電粒子の当該マイクロカプセルの壁面に対する鏡像力が異なることを特徴とする記録媒体。
【請求項２】
前記複数種類のマイクロカプセルは、前記第一帯電粒子の色が白色又は黒色で、前記第二帯電粒子の１色が加法混色の３原色の３色のいずれかの色である３種類のマイクロカプセル又は、前記第一帯電粒子の１色が白色又は黒色で、前記第二帯電粒子の１色が前記３原色に黒色又は白色を加えた４色のいずれかの色である４種類のマイクロカプセルから構成されることを特徴とする請求項１に記載の記録媒体。
【請求項３】
前記マイクロカプセルの壁面に対する前記帯電粒子の鏡像力の強さを、前記分散媒の比誘電率の差により異ならせるものとしたことを特徴とする請求項１又は請求項２に記載の記録媒体。
【請求項４】
前記帯電粒子の前記マイクロカプセルの壁面に対する鏡像力の強さを、前記帯電粒子の粒子径の差により異ならせるものとしたことを特徴とする請求項１乃至請求項３のいずれかに記載の記録媒体。
【請求項５】
第一のマイクロカプセルに封入された前記第二帯電粒子のうち、粒子径が最も小さい前記第二帯電粒子の前記マイクロカプセルの壁面に対する鏡像力が、第一のマイクロカプセルとは種類が異なる第二のマイクロカプセルに封入された前記第二帯電粒子のうち、粒子径が最も大きい前記第二帯電粒子の前記マイクロカプセルの壁面に対する鏡像力より大きいことを特徴とする請求項１乃至請求項４のいずれかに記載の記録媒体。
【請求項６】
前記第二帯電粒子の前記マイクロカプセルの壁面に対する鏡像力が、相互に他の種類のマイクロカプセルの前記帯電粒子の前記マイクロカプセルの壁面に対する鏡像力の１．２３倍以上或いは１．２３分の１以下に異なるように構成されたことを特徴とする請求項１乃至請求項４のいずれかに記載の記録媒体。
【請求項７】
記録媒体の画素単位毎に制御電界を印加する電極部と、
当該電極部に電圧を印加する電圧印加手段と、
前記電圧印加手段が印加する電圧を制御する制御手段とを備え、
前記制御手段により前記記録媒体に印加する制御電界の強さを変化させることで鏡像力の差により選択的に前記第一及び第二帯電粒子を移動させて、
請求項１乃至請求項６のいずれかに記載の記録媒体に色を表示するように制御する選択移動制御を行うことを特徴とする電気泳動表示装置。
【請求項８】
前記制御手段は、
段階的に制御電界を弱め同時に当該制御電界の方向を逆転することで当該制御電界により前記帯電粒子が移動可能な前記マイクロカプセルの種類を少なくし且つ前記帯電粒子の移動方向を反転させる手順による前記選択移動制御を繰り返し行い、異なる鏡像力の帯電粒子が封入された前記複数種類のマイクロカプセルの帯電粒子を選択的に任意の方向に移動させて画像を表示することを特徴とする請求項７に記載の電気泳動表示装置。
【請求項９】
請求項１乃至６の何れかに記載の記録媒体を制御する電気泳動表示装置であって、
記録媒体の画素単位毎に制御電界を印加する電極部と、当該電極部に電圧を印加する電圧印加手段と、前記電圧印加手段が印加する電圧を制御する制御手段とを備え、
前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、
前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御することを特徴とする電気泳動表示装置。
【請求項１０】
請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、
前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、
前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御することを特徴とする記録媒体の制御方法。
【請求項１１】
請求項１乃至６の何れかに記載の記録媒体を制御する電気泳動表示装置であって、
記録媒体の画素単位毎に制御電界を印加する電極部と、当該電極部に電圧を印加する電圧印加手段と、前記電圧印加手段が印加する電圧を制御する制御手段とを備え、
前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御することを特徴とする電気泳動表示装置。
【請求項１２】
請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、
前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御することを特徴とする記録媒体の制御方法。
【請求項１３】
請求項１乃至６の何れかに記載の記録媒体を制御する電気泳動表示装置であって、
記録媒体の画素単位毎に制御電界を印加する電極部と、当該電極部に電圧を印加する電圧印加手段と、前記電圧印加手段が印加する電圧を制御する制御手段とを備え、
前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御することを特徴とする電気泳動表示装置。
【請求項１４】
請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、
前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、
次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御することを特徴とする記録媒体の制御方法。
【発明の詳細な説明】
【０００１】
【発明の属する技術分野】
本発明は、カラー画像が表示可能な記録媒体、電気泳動表示装置及び記録媒体の制御方法に関する。
【０００２】
【従来の技術】
従来、液体分散媒に分散させプラスとマイナスの電位にそれぞれ帯電させた２色の多数の帯電粒子を封入した透明の樹脂製のマイクロカプセルを層状に形成した記録媒体を用い、この記録媒体を挟むように配設された電極を備え、この電極に所定の極性の電圧を印加して記録媒体に制御電界をかけることで、マイクロカプセルに封入された帯電粒子を任意の方向に移動させて、観察者に対して、表示面である記録媒体の一面に２色の帯電粒子のうちのいずれかを集合させて画像を表示する電気泳動表示装置が提案されている。
このような、記録媒体を用いた電気泳動表示装置においては、記録媒体を挟んで対向して設けられた電極に電圧を印加することにより制御電界を生じさせ、記録媒体の帯電粒子を電界の向きに従って電気泳動させることにより、表示面に表示したい色の帯電粒子を集合させ、表示させたくない色の帯電粒子は、表示面と反対方向に泳動させて隠し、表示したい色のみを観察者に対して表示し、このようにして画素毎に２色の内の１色を選択的に表示して画像を形成する。また、制御電界を消失させた後は、帯電粒子とマイクロカプセルの壁面との間に生じる鏡像効果により帯電粒子がマイクロカプセルの壁面に鏡像力により付着した状態が維持される、いわゆるメモリ効果で記録媒体に表示した画像が記録される。
このような記録媒体及び電気泳動表示装置においてフルカラー表示は、強く望まれているものであった。
【０００３】
【発明が解決しようとする課題】
しかしながら、このような記録媒体及び電気泳動表示装置では、２色の内の１色を選択的に表示するのみでモノクロームの画像しか表示できないという問題があった。
そこで、液晶ディスプレーのようにカラーフィルターを使用したり、イエロー、マゼンタ、シアン、ブラック（以下それぞれＹ、Ｍ、Ｃ、Ｋと略記する。）とホワイト（以下Ｗと略記する）とを表示する各マイクロカプセルを１ドット毎に個別に所定位置に配置し、各々を電界制御して画像表示することも考えられるが、表示装置の構造が複雑になるという問題があり、また記録媒体のコストが高くなるという点でも問題があった。
一方、Ｙ、Ｍ、Ｃ、Ｋを表示する各マイクロカプセルをランダムに備えた記録媒体により多色表示をすることも考えられるが、この場合記録媒体のコストを低く押さえることができるとしても、これらランダムに配置された多種類のマイクロカプセルを個別に制御する方法がなく、記録媒体として使用できないという問題があった。
【０００４】
この発明は上記課題を解決するものであり、カラー表示が可能な記録媒体、電気泳動表示装置及び記録媒体の制御方法を提供することを目的とする。
【０００５】
【課題を解決するための手段】
この目的を達成するために、請求項１に係る発明の記録媒体では、第一の極性の電位に帯電された多数の第一帯電粒子と、当該第一帯電粒子と逆極性である第二の極性の電位に帯電された多数の第二帯電粒子と、前記第一帯電粒子及び前記第二帯電粒子を泳動可能に分散させる液体分散媒とを、中空球形の透明樹脂のカプセルに封入した多数のマイクロカプセルを備えた記録媒体であって、前記第一の帯電粒子と、前記第二帯電粒子とは、互いに異なる色であり、前記多数のマイクロカプセルは、層状に形成され、前記多数のマイクロカプセルは、複数種類のマイクロカプセルから構成され、マイクロカプセルの種類毎に、マイクロカプセルに封入された前記第二帯電粒子の色及び前記第二帯電粒子の当該マイクロカプセルの壁面に対する鏡像力が異なることを特徴とする。
【０００６】
この構成に係る記録媒体では、前記第一の帯電粒子と、前記第二帯電粒子とは、互いに異なる色であり、前記多数のマイクロカプセルは、層状に形成され、前記多数のマイクロカプセルは、複数種類のマイクロカプセルから構成され、マイクロカプセルの種類毎に、マイクロカプセルに封入された前記第二帯電粒子の色及び前記第二帯電粒子の当該マイクロカプセルの壁面に対する鏡像力が異なるため、前記第二帯電粒子の鏡像力の差を利用して、異なる強度の制御電界を印加することで特定の強度の鏡像力を有する第二帯電粒子が封入されたマイクロカプセルの帯電粒子を選択的に移動させることができる。
【０００７】
また、請求項２に係る発明の記録媒体では、請求項１に記載の記録媒体の構成に加え、前記複数種類のマイクロカプセルは、前記第一帯電粒子の色が白色又は黒色で、前記第二帯電粒子の１色が加法混色の３原色の３色のいずれかの色である３種類のマイクロカプセル又は、前記第一帯電粒子の１色が白色又は黒色で、前記第二帯電粒子の１色が前記３原色に黒色又は白色を加えた４色のいずれかの色である４種類のマイクロカプセルから構成されることを特徴とする
【０００８】
この構成に係る記録媒体では、加法混色の３原色と白色及び黒色の一方又は両方の帯電粒子を用いることで、これらを選択的に移動させることでフルカラー表示が可能になる。
【０００９】
請求項３に係る発明の記録媒体では、請求項１又は請求項２に記載の記録媒体の構成に加え、前記マイクロカプセルの壁面に対する前記帯電粒子の鏡像力の強さを、前記分散媒の比誘電率の差により異ならせるものとしたことを特徴とする。
【００１０】
この構成に係る記録媒体では、分散媒の比誘電率を変更することでマイクロカプセルの壁面に対する帯電粒子の鏡像力の強さを調整できる。
【００１１】
請求項４に係る発明の記録媒体では、請求項１乃至請求項３のいずれかに記載の記録媒体の構成に加え、前記帯電粒子の前記マイクロカプセルの壁面に対する鏡像力の強さを、前記帯電粒子の粒子径の差により異ならせるものとしたことを特徴とする。
【００１２】
この構成に係る記録媒体では、帯電粒子の粒子径を変更することでマイクロカプセルの壁面に対する帯電粒子の鏡像力の強さを調整できる。
請求項５に係る発明の記録媒体では、請求項１乃至請求項４のいずれかに記載の記録媒体の構成に加え、第一のマイクロカプセルに封入された前記第二帯電粒子のうち、粒子径が最も小さい前記第二帯電粒子の前記マイクロカプセルの壁面に対する鏡像力が、第一のマイクロカプセルとは種類が異なる第二のマイクロカプセルに封入された前記第二帯電粒子のうち、粒子径が最も大きい前記第二帯電粒子の前記マイクロカプセルの壁面に対する鏡像力より大きいことを特徴とする。
この構成に係る記録媒体では、第一のマイクロカプセルに封入された前記第二帯電粒子のうち、粒子径が最も小さい前記第二帯電粒子の前記マイクロカプセルの壁面に対する鏡像力が、第一のマイクロカプセルとは種類が異なる第二のマイクロカプセルに封入された前記第二帯電粒子のうち、粒子径が最も大きい前記第二帯電粒子の前記マイクロカプセルの壁面に対する鏡像力より大きいものを用いることで、第二帯電粒子の鏡像力の差を利用して、異なる強度の制御電界を印加することで特定の強度の鏡像力を有する第二帯電粒子が封入されたマイクロカプセルの第二帯電粒子を選択的に移動させることができる。
【００１３】
請求項６に係る発明の記録媒体では、請求項１乃至請求項４のいずれかに記載の記録媒体の構成に加え、前記第二帯電粒子の前記マイクロカプセルの壁面に対する鏡像力が、相互に他の種類のマイクロカプセルの前記帯電粒子の前記マイクロカプセルの壁面に対する鏡像力の１．２３倍以上或いは１．２３分の１以下に異なるように構成されたこと
を特徴とする。
【００１４】
この構成に係る記録媒体では、マイクロカプセルの壁面に対する第二帯電粒子の鏡像力が、相互に他の種類のマイクロカプセルの鏡像力の１．２３倍以上或いは１．２３分の１以下に異なるように構成されるため、鏡像力の調整の誤差により鏡像力逆転し、第二帯電粒子を移動させたいマイクロカプセルの種類の選択が誤ってしまうことがない安全値を確保できるため、移動させたい第二帯電粒子を誤りなく移動でき、もって高品質な画像を表示できる。
【００１５】
請求項７に係る発明の電気泳動表示装置では、記録媒体の画素単位毎に制御電界を印加する電極部と、当該電極部に電圧を印加する電圧印加手段と、前記電圧印加手段が印加する電圧を制御する制御手段とを備え、前記制御手段により前記記録媒体に印加する制御電界の強さを変化させることで鏡像力の差により選択的に前記第一及び第二帯電粒子を移動させて、請求項１乃至請求項６のいずれかに記載の記録媒体に色を表示するように制御する選択移動制御を行うことを特徴とする。
【００１６】
この構成に係る電気泳動表示装置では、請求項１乃至請求項６のいずれかに記載の記録媒体を用い、記録媒体に印加する制御電界の強さを変化させることで鏡像力の差により選択的に前記第一及び第二帯電粒子を移動させて表示できる。
【００１７】
請求項８に係る発明の電気泳動表示装置では、請求項７に記載の電気泳動表示装置の構成に加え、前記制御手段は、段階的に制御電界を弱め同時に当該制御電界の方向を逆転することで当該制御電界により前記帯電粒子が移動可能な前記マイクロカプセルの種類を少なくし且つ前記帯電粒子の移動方向を反転させる手順による前記選択移動制御を繰り返し行い、異なる鏡像力の帯電粒子が封入された前記複数種類のマイクロカプセルの帯電粒子を選択的に任意の方向に移動させて画像を表示することを特徴とする。
【００１８】
この構成に係る電気泳動表示装置では、段階的に制御電界を弱め同時に制御電界の方向を逆転することで制御電界により反応するマイクロカプセルの種類を少なくし且つ前記帯電粒子の移動方向を反転させることで表示面と非表示面に色毎に帯電粒子を移動させる手順による制御を繰り返し行い、表示面に表示したい色の帯電粒子のみを選択的に表示させることができる。
請求項９に係る発明の電気泳動表示装置では、請求項１乃至６の何れかに記載の記録媒体を制御する電気泳動表示装置であって、記録媒体の画素単位毎に制御電界を印加する電極部と、当該電極部に電圧を印加する電圧印加手段と、前記電圧印加手段が印加する電圧を制御する制御手段とを備え、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御することを特徴とする。
この構成に係る電気泳動表示装置では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御するので、表示面に表示したい色の帯電粒子のみを選択的に表示させることができる。
請求項１０に係る発明の記録媒体の制御方法では、請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御することを特徴とする。
この構成に係る記録媒体の制御方法では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子の裏面側に移動させ、且つ、当該マイクロカプセルに封入された第一帯電粒子を第二帯電粒子よりも表面側に移動させるので、表示面に表示したい色の帯電粒子のみを選択的に表示させることができる。
請求項１１に係る発明の電気泳動表示装置では、請求項１乃至６の何れかに記載の記録媒体を制御する電気泳動表示装置であって、記録媒体の画素単位毎に制御電界を印加する電極部と、当該電極部に電圧を印加する電圧印加手段と、前記電圧印加手段が印加する電圧を制御する制御手段とを備え、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御することを特徴とする。
この構成に係る記録媒体の電気泳動表示装置では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御する。
請求項１２に係る発明の記録媒体の制御方法では、請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御することを特徴とする。
この構成に係る記録媒体の記録媒体の制御方法では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させて、請求項１乃至請求項６のいずれかに記載の記録媒体に特定の色を表示するように制御する。
請求項１３に係る発明の電気泳動表示装置では、請求項１乃至６の何れかに記載の記録媒体を制御する電気泳動表示装置であって、記録媒体の画素単位毎に制御電界を印加する電極部と、当該電極部に電圧を印加する電圧印加手段と、前記電圧印加手段が印加する電圧を制御する制御手段とを備え、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御することを特徴とする。
この構成に係る記録媒体の電気泳動表示装置では、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御することを特徴とする。
請求項１４に係る発明の記録媒体の制御方法では、請求項１乃至６の何れかに記載の記録媒体の画素単位毎に制御電界を印加する電極部と、当該電極部に電圧を印加する電圧印加手段と、前記電圧印加手段が印加する電圧を制御する制御手段とを備えた電気泳動表示装置により、前記記録媒体を制御する制御方法であって、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御することを特徴とする。
この構成に係る記録媒体の記録媒体の制御方法では、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させて、請求項１乃至請求項６のいずれかに記載の記録媒体に特定の色を表示するように制御する。
【００１９】
【発明の実施の形態】
以下、本発明に係る記録媒体及び電気泳動表示装置を好ましい１の実施の形態である電気泳動表示装置１により、添付図面を参照して説明する。
【００２０】
図１は、電気泳動表示装置１の構成の概略を示す模式図である。図１に示すように、電気泳動表示装置１は、記録媒体ＰＰを表裏から挟んで協働して搬送する２対の搬送ローラ５１，５２を有する移動手段である記録媒体搬送部５が備えられる。また、この２対の搬送ローラ５１，５２の間に配置され、記録媒体ＰＰの表示面側（図１上側）に接触又は近接して電圧を印加する上電極部２と、記録媒体ＰＰの裏面側（図１下側）に接触又は近接して電圧を印加する下電極部３とが備えられる。そして、上電極部２及び下電極部３のそれぞれのセグメントされた電極２２，２３（図２参照）に配線８により接続され、画像データに基づいて変調された電圧を印加する制御部４とが備えられて構成されている。
【００２１】
記録媒体搬送部５は、駆動モータ９を備える。この駆動モータ９は、制御部４のコンピュータ１０からの制御信号を受けて、モータ駆動回路７から駆動信号がモータに送られて回転される。この回転が１対の搬送ローラ５１に伝達され、搬送ローラ５１は図１に示すように、記録媒体ＰＰを挟持しながら協働して記録媒体ＰＰを搬送方向であるＸ方向（図１左方向）に搬送する。同様に他の１対の搬送ローラ５２も駆動モータ９により図示外の動力伝達手段を介して駆動されて搬送ローラ５１と同期して回転し、記録媒体ＰＰを搬送する。
【００２２】
図２は、記録媒体ＰＰに対する上電極部２及び下電極部３の配置を模式的示す斜視図である。図２に示すように、上電極部２は、多数の微小なステンレススチール等の金属片あるいは金属薄膜からなる電極２２ａ，２２ｂ，２２ｃ，・・・２２ｎが、搬送される記録媒体ＰＰの表面側の画素に対応した位置に接触又は近接可能に配置にされ、記録媒体ＰＰの搬送方向Ｘに垂直な記録媒体ＰＰの幅方向に、セグメント電極が直線状に並べられて配置され電極アレイ２１として構成されている。また、下電極部３は、上電極部２と同様な構成とされて、上電極部２のそれぞれの電極２２ａ，２２ｂ，２２ｃ，・・・２２ｎに対応した電極３２ａ，３２ｂ，３２ｃ，・・・３２ｎを備えた電極アレイ３１が対向配置される。従って、本実施の形態では、この電極アレイ２１，３１により記録媒体ＰＰの幅方向を一括して画素ごとに電界を印加して画像形成しながら記録媒体ＰＰをＸ方向に移動させて走査し、ページ全体の画像を形成するいわゆるページプリンタと同様な構成とされている。
【００２３】
図１に示す制御部４は、制御用の図示しないＣＰＵ及びＲＡＭ、ＲＯＭを備えた周知のコンピュータ１０を備え、このコンピュータ１０は、外部コンピュータにより構成されるものであってもよい。制御部４には、図示しないインタフェイスを介して画像情報が取り込まれ、コンピュータ１０はこの画像情報に基づいて制御信号を発生させる。このコンピュータ１０からの微弱な制御信号に応じて各電極２２，３２から記録媒体ＰＰに十分な電界を印加できるように電極アレイ駆動回路６を備え、この電極アレイ駆動回路６から配線８を介して駆動信号を出力して各電極２２，３２に電圧を印加し、搬送される記録媒体ＰＰに対して各画素に応じた電界の向きになるように各電極から電界を印加して画像を形成する。本実施の形態の上電極部２及び下電極部３は、いずれも画素に対応したセグメント電極である多数の電極２２、３２からなる電極アレイ２１，３１から構成されており、記録媒体ＰＰの画素毎に必要な電界を容易に印加できる。
【００２４】
ここで図６は、電極アレイ駆動部６と記録媒体ＰＰを示す模式図である。電極アレイ駆動部６は、電源部６１とコンピュータ１０の制御により電源部６１から給電される電気の開閉及び極性を変更する切り替えスイッチ６２，６３及び電圧の高低を調節する電圧調整手段６４を備える。ここでは、説明のため模式的に示すが、これらが電子的な回路により構成され得ることはもちろんである。また、配線８は上電極部２の電極２２と下電極部３の電極３２にそれぞれ接続されており、各電極２２，３２に個別に電圧を印加できる。電極２２，３２は、すべての種類のマイクロカプセルＰ１０ｙ，Ｐ１０ｍ，Ｐ１０ｃ，Ｐ１０ｋをそれぞれ１以上含む画素に対応して構成される、この画素に対して制御電界を印加可能に構成される。
【００２５】
また、前述のように記録媒体搬送部５に備えられた駆動モータ９を、コンピュータ１０からの制御信号に基づいて駆動信号を出力して駆動するモータ駆動回路７を備える。
【００２６】
次に、本実施の形態の記録媒体ＰＰについて説明する。図３は、記録媒体ＰＰの構成を示す模式断面図である。
【００２７】
図３に示すように記録媒体ＰＰは、基層Ｐ１に積層された４種類の多数のマイクロカプセルＰ１０ｙ，Ｐ１０ｍ，Ｐ１０ｃ，Ｐ１０ｋをランダムに面状に配列し、これらを一定区域に区切って画素ＰＸを構成する。この画素ＰＸ単位で、一対の電極２２，３２により制御電界が印加される。なお、記録媒体には、元々画素の位置は特定されていないため、一対の電極２２と２３が制御電界を印加した範囲が１つの画素ＰＸとなる。従って、画像を表示・記録する場合でも、記録媒体ＰＰと電極２２，３２との位置合わせは必要がなく、面倒な調整なしに効率的に表示・記録をすることが可能である。マイクロカプセルＰ１０間の間隙を透明な可撓性を有する可撓性媒体Ｐ１２で充填して板状の帯電表示層Ｐ３を形成して構成される。この帯電表示層Ｐ３は、図３に示すようにマイクロカプセルＰ１０が１段の層状に形成されたもの以外にも複数段積層された層になっているものでもよい。また、基層Ｐ１は帯電表示層Ｐ３と一体に形成されてもよいが、ここでは、基層Ｐ１は白色に着色されて、マイクロカプセルＰ１０の表示面Ｐ１１に白色の帯電粒子Ｐ２ｗが集合し白色を表示する場合に、マイクロカプセルＰ１０の隙間から基層Ｐ１が見えても白色が濁らないように白色の着色層として構成されている。なお、この基層Ｐ１は、必ずしも必要ではない。
【００２８】
このように構成された記録媒体ＰＰは、図１に示すように、電気泳動表示装置１に配設された上電極部２、下電極部３に挟まれ、帯電表示層Ｐ３に画像情報に基づいて画素ＰＸ単位で電極２２，３２により所定の手順により制御電界が印加され、複数種類のマイクロカプセルＰ１０の内部にそれぞれ封入された帯電特性及び色の異なる帯電粒子Ｐ２ｋ，Ｐ２ｙ，Ｐ２ｍ，Ｐ２ｃ，Ｐ２ｗを選択的に移動させて表示面Ｐ１１に表示し、所望のカラー画像を表示させるものである。以下、この記録媒体ＰＰの構成を詳細に説明する。
【００２９】
図４（Ａ），（Ｂ），（Ｃ）は、マイクロカプセルＰ１０の構成及び制御電界を受けた場合の変化の様子を表す図である。ここで、図４（Ａ）は、本実施の形態の記録媒体ＰＰにおいて制御電界が印加される前のマイクロカプセルＰ１０の構造を示す模式図である。ここでは、マイクロカプセルＰ１０の基本的な構造を説明するため、まず白色の帯電粒子Ｐ２ｗと黒色の帯電粒子Ｐ２ｋが封入されたマイクロカプセルＰ１０を例に説明する。マイクロカプセルＰ１０は、液体分散媒Ｐ４に帯電粒子Ｐ２ｋ、Ｐ２ｗを分散させた分散系を、球状の透明なカプセル壁Ｐ５を有するカプセルの中に内包する構造となっている。
【００３０】
ここで、マイクロカプセルＰ１０の製造方法の概略について説明する。マイクロカプセル化の方法としては、既に当業界において公知の技術となっている方法で作製することが可能である。例えば、米国特許第二８００４５７号、同第二８００４５８号明細書等に示されるような水溶液からの相分離法、特公昭３８−１９５７４号、特公昭４２−４４６号、特公昭４２−７７１号公報等に示されるような界面重合法、特公昭３６−９１６８号、特開昭５１−９０７９号公報等に示されるモノマーの重合によるイン・サイチュ（ｉｎ−ｓｉｔｕ）法、英国特許第９５２８０７号、同第９６５０７４号明細書等に示される融解分散冷却法等があるが、これらに限定されるものではない。本実施の形態のマイクロカプセルＰ１０の製造方法は、界面重合法により行っており、以下この場合に基づいてマイクロカプセルＰ１０の製造方法を説明する。
【００３１】
マイクロカプセルＰ１０のカプセル壁Ｐ５の形成材料としては、上述のカプセル製造方法にてカプセル壁Ｐ５が作製可能であれば、無機物質でも有機物質でもよいが、光を十分に透過させるような材質が好ましい。具体例としては、ゼラチン、アラビアゴム、デンプン、アルギン酸ソーダ、ポリビニルアルコール、ポリエチレン、ポリアミド、ポリエステル、ポリウレタン、ポリユリア、ポリスチレン、ニトロセルロース、エチルセルロース、メチルセルロース、メラミン−ホルムアルデヒド樹脂、尿素−ホルムアルデヒド樹脂等、及びこれらの共重合物等が挙げられる。
【００３２】
図４（Ａ）に示すマイクロカプセルＰ１０の粒子径Ｄは、高解像度の表示装置を実現するためには、理論的には小さいほど好ましいといえるが、帯電粒子Ｐ２を内包する構造であるため、実際には、約５μｍ以上、約２００μｍ以下であることが望ましい。本実施の形態の記録媒体ＰＰでは、帯電粒子Ｐ２は液体分散媒Ｐ４と共に約３０〜１００μｍのマイクロカプセルに封入させている。
【００３３】
帯電粒子Ｐ２に材料としては、染料または顔料を分散した有機化合物や、顔料などの無機化合物が挙げられる。
【００３４】
染料としては、以下のようなものがある。従来から油性インク組成物に用いられている染料であればどれでも使用可能であるが、アゾ染料、金属錯塩染料、ナフール染料、アントラキノン染料、インジゴ染料、カーボニウム染料、キノイミン染料、シアニン染料、キノリン染料、ニトロ染料、ニトロソ染料、ベンゾキノン染料、ナフトキノン染料、ナフタルイミド染料、ペノリン染料、フタロシアニン染料等の油溶性染料が好ましく、これらの染料は、組み合わせて使用することも可能である。
【００３５】
また、顔料としては、以下のようなものが使用できる。日本で通用する有機顔料の通称名として、黄色では、Ｈａｎｓａ  Ｙｅｌｌｏｗ、Ｂｅｎｚｉｎｅ  Ｙｅｌｌｏｗ等が使用できる。赤色では、Ｐａｒｍａｎｅｎｔ  Ｒｅｄ、ｂｅｎｚｉｎｅ  ｏｒａｎｇｅ、ｐｙｒａｚｏｌｏｎｅ  ｏｒａｎｇｅ、ｖｕｌｃａｎ  ｏｒａｎｇｅ、ｏｒａｎｇｅ  ｌａｋｅ、ｐａｒａ  ｒｅｄ、ｌａｋｅ  ｒｅｄ、ｔｏｌｕｉｄｉｎｅ  ｒｅｄ、ｂｒｉｌｌ  ｆａｓｔ  ｓｃａｒｌｅｔ、ｂｒｉｌｌ  ｃａｒｍｉｎｅ、ｂｒｉｌｌ  ｓｃａｒｌｅｔ、ｂｏｒｄｏ、ｗａｔｃｈｕｎｇ  ｒｅｄ、ｌｉｔｈｏｌ  ｒｅｄ、ｂｏｎ  ｍａｒｏｏｎ、ｌａｋｅ  ｂｏｒｄｏ、ｒｈｏｄａｍｉｎｅ、ｍａｄｄｅｒ  ｌａｋｅ等が使用できる。紫色では、ｒｈｏｄａｍｉｎｅ  ｂ  ｌａｋｅ、ｄｉｏｘａｚｉｎｅ  ｖｉｏｌｅｔ、ｃｒｙｓｔａｌ  ｖｉｏｌｅｔ  ｌａｋｅ等が使用できる。青色では、ｖｉｃｔｏｒｉａ  ｐｕｒｅ  ｂｌｕｅ  ｌａｋｅ、ｖｉｃｔｏｒｉａ  ｂｌｕｅ  ｌａｋｅ、ｐｈｔｈａｌｏｃｙａｎｉｎｅ  ｂｌｕｅ、ｆａｓｔ  ｓｋｙ  ｂｌｕｅ、ｔｈｒｅｎｅ  ｂｌｕｅ  ｒｓ等が使用できる。緑色では、ｄｉａｍｏｎｄ  ｇｒｅｅｎ  ｌａｋｅ、ｐｈｔｈａｌｏｃｙａｎｉｎｅ  ｇｒｅｅｎ、ｐｉｇｍｅｎｔ  ｇｒｅｅｎ  ｂ、ｇｒｅｅｎ  ｇｏｌｄ等が使用できる。黒色では、ｄｉａｍｏｎｄ  ｂｌａｃｋが使用できる。
【００３６】
また、無機顔料としては以下のようなものが使用できる。黒色では、カーボンブラック等が使用でき、白色では、酸化チタン、酸化アルミニウム、酸化亜鉛、酸化鉛、酸化すずなどが使用できる。
【００３７】
有機化合物としては、以下のような合成樹脂、合成ワックスなどの合成物や、天然ワックスなどが使用できる。
【００３８】
合成樹脂、合成ワックスとして、その出発モノマーにメチルアクリレート、エチルアクリレート、ｎ−ブチルアクリレート、ｉｓｏ−ブチルアクリレート、２−エチルヘキシルアクリレート、シクロヘキシルアクリレート、テトラヒドロフルフリルアクリレート、メチルメタクリレート、エチルメタクリレート、ｎ−ブチルメタクリレート、ｉｓｏ−ブチルメタクリレート、２−エチルヘキシルメタクリレート、ステアリルメタクリレート、ラウリルメタクリレート、メチルビニルエーテル、エチルビニルエーテル、ｎ−プロピルビニルエーテル、ｉｓｏ−ブチルビニルエーテル、ｎ−ブチルビニルエーテル、スチレン、α−メチルスチレン、アクリロニトリル、メタクリロニトリル、酢酸ビニル、塩化ビニル、塩化ビニリデン、フッ化ビニル、フッ化ビニリデン、エチレン、プロピレン、イソプレン、クロロプレン、ブタジエン等を使用することが可能である。
【００３９】
更に、前記モノマーには、カルボキシル基、水酸基、メチロール基、アミノ基、酸アミド基、グリシジル基等の官能基を有するモノマーが混合されても良い。カルボキシル基を有するものはアクリル酸、メタクリル酸、イタコン酸等、水酸基を有するものはβ−ハイドロキシエチルアクリレート、β−ハイドロキシエチルメタクリレート、β−ハイドロキシプロピルアクリレート、β−ハイドロキシプロピルメタアクリレート、アリルアルコール等、メチロール基を有するものはＮ−メチロールアクリルアミド、Ｎ−メチロールメタクリルアミド等、アミノ基を有するものはジメチルアミノエチルアクリレート、ジメチルアミノエチルメタクリレート等、酸アミド基を有するものはアクリルアミド、メタクリルアミド等、グリシジル基を有するものはグリシジルアクリレート、グリシジルメタクリレート、グリシジルアリルエーテル等が例示される。また、これらのモノマーを単体、または、複数のモノマーを混合して使用することが可能である。
【００４０】
天然ワックスとしては、以下のような植物系、動物系、鉱物系、石油系ワックスなどが使用できる。
【００４１】
植物系ワックスとして、キャンデリラワックス、カルナバワックス、ライスワックス、木ろう、ホホバ油などが使用できる。動物系ワックスとしては、みつろう、ラノリン、鯨ろうなどが、鉱物系ワックスとしては、モンタンワックス、オゾケライト、セレシンなどが、石油系ワックスとして、パラフィンワックス、マイクロクリスタリンワックス、ペトロラタムなどがそれぞれ使用できる。
【００４２】
次に、液体分散媒Ｐ４としては、少なくとも高絶縁性、無色透明性が求められ、水、アルコール類、各種エステル、脂肪族炭化水素、芳香族炭化水素、四環式炭化水素、ハロゲン化炭化水素等のほか、天然または合成の各種の油などを使用できる。
【００４３】
分散系を生成するには、まず液体分散媒Ｐ４にプラスの帯電極性を持つ帯電粒子Ｐ２とマイナスの帯電極性を持つ帯電粒子Ｐ２とを均一分散させる。更に、この分散液と、界面活性剤を添加した蒸留水を撹拌混合させ、分散液のエマルジョンを作製する。分散液エマルジョンの大きさは、撹拌速度、または、乳化剤、界面活性剤の種類と量とにより所望の大きさに調節される。また、必要に応じて１種類以上の乳化剤、界面活性剤、電解質、潤滑剤、安定化剤などを適宜添加することができる。
【００４４】
このとき、帯電粒子Ｐ２は、体積平均粒子径／個数平均粒子径で表される粒度分布の分散度が約２以下であることが好ましい。
【００４５】
また、図４（Ａ）に示す帯電粒子Ｐ２の平均粒子径ｄは、マイクロカプセルＰ１０の粒子径Ｄに対し約１／１０００以上、約１／５以下であることが好ましい。粒子径ｄがマイクロカプセルＰ１０の粒子径Ｄの約１／５以上である帯電粒子Ｐ２を内包したマイクロカプセルＰ１０では、電界を印加して画像形成する際に、極性の異なる帯電粒子Ｐ２ｋ、Ｐ２ｗ等がお互いの泳動の妨げとなり、応答速度が極端に低下する。また、粒子径ｄがマイクロカプセルＰ１０の粒子径Ｄの約１／１０００以下である帯電粒子Ｐ２ｋ，Ｐ２ｗは、マイクロカプセルＰ１０内で凝集してしまい、電界に対する応答性の低下や、表示ムラを引き起こしてしまうことがある。本実施の形態の記録媒体ＰＰにおいては、微粒子は平均粒子径約１から１０μｍであり、例えば黒いプラスの帯電粒子Ｐ２ｋと、白いマイナスの帯電粒子Ｐ２ｗのように異なる色の異なる極性の２種類の帯電粒子Ｐ２が用いられている。
【００４６】
帯電粒子Ｐ２の量は、マイクロカプセルＰ１０中において、帯電粒子Ｐ２の体積が、前記マイクロカプセルＰ１０の容積に対し、各々約１．５％以上、約２５％以下であり、且つマイクロカプセルＰ１０に内包されているすべての帯電粒子Ｐ２の体積の総和が、マイクロカプセルＰ１０の容積に対して各々約１．５％以上、約５０％以下であるように調整することが好ましい。
【００４７】
マイクロカプセルＰ１０に内包される帯電粒子Ｐ２の体積が、マイクロカプセルＰ１０の容積に対し各々約１．５％以下である場合、制御電界により帯電粒子Ｐ２がマイクロカプセルＰ１０のカプセル壁Ｐ５の壁端部に移動しても、カプセル半球面の１／２を占めることができず、低コントラストを招いたり、または背後の他色の帯電粒子Ｐ２や背面の基層Ｐ１や電極３２等の色が観察者の目に触れてしまう。
【００４８】
また、帯電極性の異なる帯電粒子、例えば帯電粒子Ｐ２ｋ、Ｐ２ｗの体積がマイクロカプセルＰ１０の容積に対し各々約２５％以上であり、且つマイクロカプセルＰ１０に内包されている帯電粒子Ｐ２ｋ、Ｐ２ｗの体積の総和が、マイクロカプセルＰ１０の容積に対して約５０％以上であるよう場合、制御電界に対し帯電粒子Ｐ２ｋ、Ｐ２ｗが応答する際に、衝突によりお互いの帯電粒子Ｐ２ｋ，Ｐ２ｗが泳動の妨げとなってしまう。このため、制御電界の印加から画像形成が完結するまでの応答速度が著しく低下してしまう。
【００４９】
次に帯電表示層Ｐ３を形成するには、図３に示すように、多数のマイクロカプセルＰ１０を平面状に配列して並べ、可撓性媒体Ｐ１２により、その間隙を充填して全体を薄板状に形成する。この可撓性媒体Ｐ１２には、ＰＥＴ（ポリエチレンテレフタレート）等の透明で可撓性のある材質が用いられる。
【００５０】
さらに、帯電表示層Ｐ３の表示面側と反対の面を不透明な白色に着色した着色層である基層Ｐ１を配設するようにしてもよい（図３参照）。この基層Ｐ１を設けることで、基層Ｐ１にマイクロカプセルＰ１０を支持させながら可撓性媒体Ｐ１２を充填して帯電表示層Ｐ３を積層することができる。また着色層を設けることで、例えば、帯電粒子Ｐ２の色がそれぞれ黒色と白色の場合に、着色層を白色に着色することで、帯電粒子Ｐ２ｗにより帯電表示層Ｐ３の表面を白色に表示すべきときに、マイクロカプセルＰ１０の隙間を白色で埋めて、完全に隙間のない白色の表示面を構成することができる。
【００５１】
このように構成された記録媒体ＰＰにおける基本的な作用を以下に説明する。ここでは、まず、それぞれのマイクロカプセルＰ１０における作用を黒色の帯電粒子Ｐ２ｋと白色の帯電粒子Ｐ２ｗにより説明する。ここで図４（Ａ）に示すマイクロカプセルＰ１０は、未だ電界を印加されない状態であり、帯電粒子Ｐ２ｋ，Ｐ２ｗは、均一の状態でマイクロカプセル内に分散して存在する。なお、ここでは図４の上方が、マイクロカプセルＰ１０の表示面Ｐ１１である表示方向である。
【００５２】
図５は、記録媒体ＰＰに上電極部２の電極２２ａ，２２ｂ及び下電極部３の電極３２ａ，３２ｂ（図２参照）により電界を印加した状態を表す模式図である。図５に示すように、対応する上電極部２と下電極部３のそれぞれの電極２２ａと３２ａ、２２ｂと３２ｂに電圧が印加されると、印加された電圧の極性に応じた向きの電界が生じる。ここでは、電気力線をＥＬで示す。図５左に示す電極２２ａは陰極で、電極３２ａは陽極である。従って、上向きの電界を生じるが、この電界の中におかれたマイクロカプセルＰ１０ａとここに封入された帯電粒子Ｐ２ｋ，Ｐ２ｗを例に帯電粒子Ｐ２の動きを説明する。図４（Ｂ）は、均一な上向きの電界を印加した状態のマイクロカプセルＰ１０ａ内の帯電粒子Ｐ２ｋ，Ｐ２ｗの状態を示す模式図である。図４（Ｂ）において、上電極部２を陰極、下電極部３を陽極とするように電圧を印加すると、上向きの電界が生じ、プラスに帯電した黒色の帯電粒子Ｐ２ｋは陰極である上の電極２２ａの方向に、マイナスに帯電した白色の帯電粒子Ｐ２ｗは陽極である下の電極３２ａの方向に、それぞれ引き寄せられる。帯電粒子Ｐ２ｋ，Ｐ２ｗは、それぞれ電極３２，２２側に引き寄せられてマイクロカプセルＰ１０ａのカプセル壁Ｐ５の内壁面に付着する。図４（Ｃ）は帯電粒子Ｐ２ｋ，Ｐ２ｗが、それぞれ電極３２，２２側に引き寄せられてマイクロカプセルＰ１０ａのカプセル壁Ｐ５の内壁面に付着した状態を示す。そのため、上電極部２側、即ち表面側の表示面Ｐ１１側から観察すると、帯電粒子Ｐ２ｋのみが観察され、帯電粒子Ｐ２ｋが着色された黒色のみが表示面に表示される。
【００５３】
この状態で電圧の印加を停止しても、液体分散媒Ｐ４の粘度及び鏡像力により図４（Ｃ）に示す状態が維持される、いわゆるメモリ効果がある。また、この状態で、ある程度の強度までの電界を受けたとしても、ヒステリシスのためこの状態が維持される。すなわち、ここで形成された画像はこの記録媒体ＰＰに記録されることになる。
【００５４】
また、上電極部２と下電極部３に図４（Ｂ）と異なる極性で再び電圧を印加した場合、鏡像力に打ち勝つ電界が印加されれば、帯電粒子Ｐ２ｋ，Ｐ２ｗはカプセル壁面Ｐ５から剥離して再び移動し位置が逆転し、マイクロカプセルＰ１０の帯電粒子Ｐ２ｋ，Ｐ２ｗにより形成される画像は書き替えられる。
【００５５】
記録媒体ＰＰ及び電気泳動表示装置１は、以上のように構成される。次に、このように構成された記録媒体ＰＰと電気泳動表示装置１の制御方法について説明する。
【００５６】
本実施の形態においては、上記のように構成されたマイクロカプセルに１色がＷに着色された帯電粒子と、他の１色がＹ、Ｍ、Ｃ、Ｋのいずれか１色にそれぞれ着色された帯電粒子との組み合わせからなる４種類のマイクロカプセルＰ１０ｋ，Ｐ１０ｙ，Ｐ１０ｍ，Ｐ１０ｃが記録媒体ＰＰの帯電表示層Ｐ３にランダムに積層され、これらのマイクロカプセルＰ１０のカプセル壁Ｐ５と帯電粒子Ｐ２ｗ，Ｐ２ｋ，Ｐ２ｙ，Ｐ２ｍ，Ｐ２ｃとの間の鏡像力を異なるものに設定して、この鏡像力の差を利用して各色の帯電粒子Ｐ２ｗ，Ｐ２ｋ，Ｐ２ｙ，Ｐ２ｍ，Ｐ２ｃを個別に制御するものである。
【００５７】
ここで、複数種類のマイクロカプセルＰ１０を選択的に制御する上で重要な鏡像力について、液体分散媒Ｐ４であるＩｓｏｐａｒＧ中の帯電粒子Ｐ２がカプセル壁Ｐ５に付着するときの鏡像力を例に説明する。図１７は、誘電体が平面で接しているときの点電荷ｑに作用する鏡像力を説明する図である。図１７に示すように誘電率ε１、ε２の誘電体が平面で接しているとき、境界面からのｄの距離にある点電荷ｑに作用する鏡像力は、
【００５８】
Ｆ＝｛（ε１−ε２）／（ε１＋ε２）｝・｛ｑ２／（１６πε０ｄ２）｝・・・（１）
【００５９】
となる。但し、Ｆは鏡像力、ε０は真空の誘電率である定数８．８５４×１０−１２（Ｆ／ｍ）、ε１はマイクロカプセルＰ１０のカプセル壁Ｐ５の比誘電率、ε２は液体分散媒Ｐ４であるＩｓｏｐａｒＧの比誘電率である２．０１、ｑは帯電粒子Ｐ２に対応する点電荷の帯電量（Ｃ）、ｄは帯電粒子Ｐ２とカプセル壁Ｐ５との距離（ｍ）を示す。
【００６０】
ところで、帯電粒子Ｐ２を無数の点電荷の集まりと考えると、帯電粒子Ｐ２を構成する各点電荷とカプセル壁Ｐ５との距離の平均値は、帯電粒子Ｐ２の半径と近似する。そのため、帯電粒子Ｐ２とカプセル壁Ｐ５との距離ｄは、概ね帯電粒子Ｐ２の半径ａと考えられる。
【００６１】
ここで、帯電粒子Ｐ２とカプセル壁Ｐ５との鏡像力Ｆは、ε０が、定数として考えられるので、パラメータは、カプセル壁Ｐ５の比誘電率であるε１、液体分散媒Ｐ４であるＩｓｏｐａｒＧの比誘電率ε２、帯電粒子Ｐ２の帯電量ｑ（Ｃ）、帯電粒子Ｐ２とカプセル壁Ｐ５との距離ｄとなる。このうちｄは、前述のように帯電粒子Ｐ２の半径ａと置き換えて考えることができる。
【００６２】
式（１）においてこのようなパラメータによれば、ε１＞ε２の場合は、鏡像力Ｆの符号がプラスになるため、カプセル壁Ｐ５と帯電粒子Ｐ２の間に引力が生じ、帯電粒子Ｐ２はカプセル壁Ｐ５に引きつけられ付着することになる。しかし、ε１＜ε２となる場合は、鏡像力Ｆの符号がマイナスになるため、カプセル壁Ｐ５と帯電粒子Ｐ２の間に斥力が生じ、帯電粒子Ｐ２はカプセル壁Ｐ５に反発して付着することがない。
【００６３】
従って、電気泳動による表示素子を記録媒体として用いるためには、表示画像を保持する、いわゆるメモリ性が必要であるため、ε１＞ε２であることが必須である。
【００６４】
ここで、選択的な色表示方法について具体的に説明する。なお、ここでは説明を簡単にするため便宜的にε２、ｑ、ｄは定数として扱い、液体分散媒Ｐ４の誘電率ε１のみを変化させた例を挙げて説明する。
【００６５】
各色のマイクロカプセルＰ１０のカプセル壁Ｐ５の比誘電率ε１を
εｋ、εｙ、εｍ、εｃ、（εｋ＞εｙ＞εｍ＞εｃ）
とする。そうすれば、Ｋ、Ｙ、Ｍ、Ｃ各色の鏡像力Ｆを、Ｆｋ、Ｆｙ、Ｆｍ、Ｆｃとすると式（１）より、
Ｆｋ＞Ｆｙ＞Ｆｍ＞Ｆｃ
となる。カプセル壁面に付着した帯電粒子を起動させるために必要な制御電界強度Ｅ（Ｖ／ｍｍ）は、Ｆ＝ｑＥ（ｑ：定数＞０）より
Ｅｋ＞Ｅｙ＞Ｅｍ＞Ｅｃ
となる。
【００６６】
以上を踏まえて、マゼンタのみを表示面Ｐ１１に表示する場合について説明する。図９（Ｄ）〜（Ｆ）は、マゼンタを表示するための制御方法を示す模式図である。図９（Ｄ）は、１回目の制御電界を印加した状態を示す図である。図９（Ｅ）は、２回目の制御電界を印加した状態を示す図である。図９（Ｃ）は、３回目の制御電界を印加した状態を示す図である。図１４は、マゼンタを表示するための制御電界の印加のタイムチャートである。図１４において縦軸は制御電界の強さを示し、上側が上電極部２側の電極をプラスに、下側が上電極部２側の電極をマイナスに印加することを示す。また、横軸は時間を示し、ｔ１は１回目の制御電界印加時間、ｔ２は２回目の制御電界印加時間、ｔ３は３回目の制御電界印加時間を示す。以下図１３から図１６において同じである。
【００６７】
Ｙ、Ｍ、Ｃ、Ｋ、Ｗにそれぞれ着色された帯電粒子Ｐ２ｙ、Ｐ２ｍ、Ｐ２ｃ、Ｐ２ｋ，Ｐ２ｗを内包したマイクロカプセルＰ１０ｙ，Ｐ１０ｍ，Ｐ１０ｃ，Ｐ１０ｋがシート上に無秩序に分散された記録媒体ＰＰを電極間に挿入する（図３参照）。
【００６８】
ここで、印加する電界強度を、
Ｖ４＞Ｅｋ、Ｅｋ＞Ｖ３＞Ｅｙ、Ｅｙ＞Ｖ２＞Ｅｍ、Ｅｍ＞Ｖ１＞Ｅｃ
とする。
まず、図９（Ｄ）に示すように、Ｖ４の電界強度の電界を図１４に示すｔ１の時間、上電極部２側の電極がプラス、下電極部３側の電極がマイナスになるように印加する。そうすれば、このときに印加した電界強度は、Ｖ４＞Ｅｋ＞Ｅｙ＞Ｅｍ＞Ｅｃであるため、図９（Ｄ）に示すように全てのマイクロカプセルＰ１０が電界に反応しすべてのマイクロカプセルＰ１０内のマイナスに帯電されたＷの帯電粒子Ｐ２Ｗを陽極である上電極部２側の表示面Ｐ１１に泳動し、観察者に白が表示される。このとき、他の色Ｙ，Ｍ，Ｃ，Ｋに着色された帯電粒子Ｐ２ｙ，Ｐ２ｍ，Ｐ２ｃ，Ｐ２ｋは、陰極である下電極部３側に泳動し、観察者からは表示面Ｐ１１に集合した帯電粒子Ｐ２に隠されて見えない。
【００６９】
次に図１４に示すようにｔ２の時間、図９（Ｄ）とは逆の極性である上電極部２側がマイナスで電界強度Ｖ２になるように電極間に電界を印加する。このときＥｋ＞Ｅｙ＞Ｖ２であるので、マイクロカプセルＰ１０ｋ、Ｐ１０ｙは電界に反応しない。
【００７０】
一方、Ｖ２＞Ｅｍ＞Ｅｃであるため、図９（Ｅ）に示すように、マイクロカプセルＰ１０ｍ、Ｐ１０ｃは電界に反応して、マイナスに帯電された白の帯電粒子Ｐ２Ｗは陰極である下電極部３側に泳動し、これと入れ替わるようにマゼンタに着色されたの帯電粒子Ｐ２ｍとシアンに着色された帯電粒子Ｐ２ｃが表示面Ｐ１１側に泳動する。そのため、観察者はマイクロカプセルＰ１０ｋ，Ｐ１０ｙは白く、マイクロカプセルＰ１０ｍはマゼンタに、マイクロカプセルＰ１０ｃはシアンに見える。そしてこの段階では、これらの色が混色された状態で観察される。
【００７１】
さらに、図１４に示すようにｔ３の時間、図９（Ｅ）とは逆の極性である上電極部２側がプラスで電界強度Ｖ１になるように電極間に電界を印加する。このときＥｋ＞Ｅｙ＞Ｅｍ＞Ｖ２であるので、マイクロカプセルＰ１０ｋ、Ｐ１０ｙ、Ｐ１０ｍは電界に反応しない。
【００７２】
一方、Ｖ２＞Ｅｃであるため、図９（Ｆ）に示すように、マイクロカプセルＰ１０ｃのみが電界に反応して、マイナスに帯電された白の帯電粒子Ｐ２ｗは陽極である上電極部３側の表示面Ｐ１１側に泳動し、これと入れ替わるようにシアンに着色された帯電粒子Ｐ２ｃが下電極部３側に泳動する。そのため、観察者はマイクロカプセルＰ１０ｋ，Ｐ１０ｙ、Ｐ１０ｍは白く、マイクロカプセルＰ１０ｍのみがマゼンタに見える。そしてこの段階では、マゼンタと白これらの色が混色された状態で観察される。
【００７３】
なお、ここでは、マイクロカプセルＰ１０に封入される帯電粒子Ｐ２の色がＫとＷ、ＹとＷ、ＭとＷ、ＣとＷの色の組み合わせで封入され、例えばマゼンタを表示したい場合にはマゼンタのマイクロカプセルＰ１０ｍ以外のマイクロカプセルＰ１０ｋ，Ｐ１０ｙ，Ｐ１０ｃは、白色を表示するように構成されているが、この白色と黒色の帯電粒子の着色を入れ替えたような構成でもよい。具体的には、ＷとＫ、ＹとＫ、ＭとＫ、ＣとＫのようにして、表示したい色以外は黒色で表示する。さらに、ここでは異なった色の４種類のマイクロカプセルを用いたが、例えばＹとＷ、ＭとＷ、ＣとＷの組み合わせの３種類マイクロカプセルＰ１０を用いて、黒色を表示したい場合は、ＹとＭとＣを同時に表示して、黒色とするような構成もできる。さらに、ＹとＫ、ＭとＫ、ＣとＫの組み合わせの３種類マイクロカプセルＰ１０を用いて構成することもできる。なお、この場合は白色の表示はできない。そして、フルカラー表示に拘わらず、特定の複数色を表示できるように構成することが可能であることはもちろんである。さらに、濃度を変えたグレーに着色した帯電粒子を用いて、これらを選択的に制御することで階調を表現するようにしてもよい。
【００７４】
なお、前述のように、帯電粒子Ｐ２とカプセル壁Ｐ５との鏡像力Ｆは、ε０が、定数として考えられるので、パラメータは、カプセル壁Ｐ５の比誘電率であるε１、液体分散媒Ｐ４の比誘電率ε２、帯電粒子Ｐ２の帯電量ｑ（Ｃ）、帯電粒子Ｐ２とカプセル壁Ｐ５との距離ｄ（ｍ）があり、このうちｄは、前述のように帯電粒子Ｐ２の半径ａ（ｍ）と置き換えて考えることができたので、液体分散媒Ｐ４の比誘電率ε２、帯電粒子Ｐ２の帯電量ｑ（Ｃ）及び帯電粒子Ｐ２の半径ａ（ｍ）のいずれかのパラメータを変化させることにより鏡像力を変化させたり、複数のパラメータを組み合わせて鏡像力を変化させることにより選択的に色表示を行うことができるのは別途説明を要するまでもなく上記説明から明らかであるので説明を省略する。
【００７５】
また、このように帯電粒子Ｐ２の鏡像力Ｆの強さに差がつけられて、その差により帯電粒子Ｐ２を選択的に制御することが可能になるのであるが、各色の帯電粒子は、異なる種類のマイクロカプセルに封入された帯電粒子Ｐ２の鏡像力は、相互に１．２３倍以上或いは１．２３分の１以下の差となることが望ましい。これは、帯電粒子Ｐ２の製造上の問題から、帯電粒子Ｐ２の半径では一般に約±５％の誤差が出ることから、この誤差の影響を受けないようにするためである。鏡像力は、前述の式（１）に示すとおり距離ｄ（ｍ）、言い換えると帯電粒子Ｐ２の半径ａ（ｍ）の２乗に反比例する。ここでＦ０を設定した鏡像力とすると、１つの色のかかる鏡像力は（１−０．０５）２Ｆ０〜（１＋０．０５）２Ｆ０の範囲でばらつくことになる。この誤差が生じても、鏡像力の反転が起こらないようにするには、例えばイエローの帯電粒子Ｐ２ｙの鏡像力をＦｙ、黒色の帯電粒子Ｐ２ｋの鏡像力をＦｋとするとき、
（１＋０．０５）２Ｆｙ＜（１−０．０５）２Ｆｋであることが必要で、
Ｆｋ＞（１＋０．０５）２／（１−０．０５）２・Ｆｙとなり、
（Ｆｋ／Ｆｙ）＞１．２２２・・・であるので、各色の帯電粒子は、異なる種類のマイクロカプセルに封入された帯電粒子Ｐ２の鏡像力は、相互に１．２３倍以上の差となることが望ましいことになる。
【００７６】
なお、鏡像力Ｆの設定においては、あまり鏡像力Ｆを大きくすると、制御電界Ｅを大きくする必要が生じるので、概ね制御電界Ｅが最高５００（Ｖ／ｍｍ）程度に設定されるのが望ましい。液体分散媒Ｐ４との関係にもよるが、鏡像力Ｆの最も大きい帯電粒子Ｐ２の値が１．２程度であるのが好ましい。
【００７７】
次に、本実施の形態におけるフルカラー表示のための、選択的な色表示方法について説明する。本実施の形態では前述の説明とは異なりカプセル壁Ｐ５の比誘電率ε１、帯電粒子Ｐ２の帯電量ｑ、帯電粒子Ｐ２の半径を一定のものとして液体分散媒Ｐ４の誘電率ε２のみを変化させて鏡像力の差を生じさせている。本実施の形態では、帯電粒子Ｐ２として、各色の帯電粒子Ｐ２ｙ，Ｐ２ｍ，Ｐ２ｃ，Ｐ２ｋ，Ｐ２ｗにおいて粒径が１０μｍで帯電量が４．６２５×１０−１５（Ｃ）の共通のものを使用した。マイクロカプセルＰ１０のカプセル壁Ｐ５には、比誘電率ε１＝８のものを使用し、液体分散媒Ｐ４に誘電率ε２＝２．０１（Ｃ）のＩｓｏｐａｒＧを使用した。
【００７８】
帯電粒子の電気泳動速度を測定して帯電粒子の帯電量を測定した。その測定結果から、ヒュッケル（Ｈｕｃｋｅｌ）の式Ｑ＝４π・ε０εｒ・ａ・ζとストークス（Ｓｔｏｋｅｓ）の式ＱＥ＝６πηａｖを用いて帯電粒子の帯電量を算出した。上記式において、εは比誘電率、ａは帯電粒子の半径（ｍ）、ζはゼータ電位（Ｖ）、ηはＩｓｏｐａｒＧの粘度１．０７（ｍＰａｓ（２５℃））を表す。
【００７９】
そして、液体分散媒Ｐ４であるＩｓｏｐａｒＧに添加剤として、２０°における比誘電率がε＝８．１（Ｃ）の1-デカノールを添加して、液体分散媒Ｐ４全体の比誘電率を調整した。また、このように比誘電率を調整した液体分散媒Ｐ４において生じる鏡像力に逆らって帯電粒子Ｐ２を泳動させるのに必要な制御電界（Ｖ／ｍｍ）はＦ＝ＱＥにより以下に示すようになる。
【００８０】
黒色の帯電粒子Ｐ２ｋでは、液体分散媒の比誘電率ε２が２．０１、これにより生じる鏡像力Ｆが０．６０、この鏡像力Ｆに逆らって泳動させるための駆動電界強度が２５０（Ｖ／ｍｍ）である。以下、イエローの帯電粒子Ｐ２ｙでは、液体分散媒の比誘電率ε２が２．８１、これにより生じる鏡像力Ｆが０．４８、この鏡像力Ｆに逆らって泳動させるための駆動電界強度が２００（Ｖ／ｍｍ）、マゼンタの帯電粒子Ｐ２ｍでは、液体分散媒の比誘電率ε２が３．７６、これにより生じる鏡像力Ｆが０．３６、この鏡像力Ｆに逆らって泳動させるための駆動電界強度が１５０（Ｖ／ｍｍ）、シアンの帯電粒子Ｐ２ｃでは、液体分散媒の比誘電率ε２が４．９０、これにより生じる鏡像力Ｆが０．２４、この鏡像力Ｆに逆らって泳動させるための駆動電界強度が１００（Ｖ／ｍｍ）である。また、これらと同一のマイクロカプセルＰ１０に封入された白色の帯電粒子Ｐ２ｗは、それぞれ略同一の数値とされる。
【００８１】
従って、本実施の形態の制御電界の強度（Ｖ／ｍｍ）は、Ｖ４＞２５０、２５０＞Ｖ３＞２００、２００＞Ｖ２＞１５０、１５０＞Ｖ１＞１００に設定される。
【００８２】
なお、液体分散媒Ｐ４であるＩｓｏｐａｒＧに添加剤としは、1-デカノールに限らず、他の添加剤を使用することももちろんできる。この場合、添加剤に必要な特性は、分散煤よりも誘電率が高いことと、帯電粒子と反応（溶解）しないことが要求される。
【００８３】
具体的には、以下のようなものが適当である。液体分散媒を平均分子量約１５０の脂肪族飽和炭化水素（比誘電率２．０１ａｔ２５℃）とした場合、ほとんどの有機化合物があてはまる。帯電粒子との反応性は、粒子の組成により大きく異なるため一概には言えないが、誘電率に着目し添加剤として使用できるものを以下に示す。
【００８４】
例えば、アセトアルデヒド、アセトニトリル、アセトフェノン、アニリン、アニソール、イソブチルアルコール、イソブチロニトリル、エタンチオール、、メチルエチルケトン、エチレングリコール、エチレンジアミン、エピクロロヒドリン、塩化アリル、塩化イソブチル、塩化エチル、塩化プロピル、塩化ベンジル、塩化メチル、1-オクタノール、2-オクタノン、オレイン酸、ギ酸、キシレン、キノリン、グアイアルコール、グリセリン、クレゾール、クロロオクタン、クロロトルエン、クロロヘプタン、クロロベンゼン、クロロホルム、酢酸ぺンチル、ジエチルエーテル、四塩化炭素、1,4-ジオキサン、シクロヘキサノール、シクロヘキサノン、シクロペンタノール、シクロペンタノン、ジクロロアセトン、ジクロロエタン、2,2-ジクロロジエチルエーテル、ジクロロエチレン、1,4-ジクロロブタン、ジクロロプロパン、ジクロロベンゼン、ジビニルエーテル、ジフェニルエーテル、ジブチルエーテル、ジプロピルエーテル、ジブロモエチレン、ジブロモブタン、ジブロモプロパン、ジブロモヘプタン、ジメチルアミン、ジメチルエーテル、臭化イソブチル、臭化イソプロピル、臭化エチル、臭化ブチル、臭化プロピル、ジヨードエチレン、セバシン酸ジエチル、セバシン酸ジオクチル、セバシン酸ジブチル、1-デカノール、1,1,2,2-テトラクロロエタン、テトラクロロエチレン、1,1,2,2-テトラブロモエタン、1-ドデカノール、トリクロロアセトアルデヒド、1,1,1-トリクロロエタン、トリブロモアセトアルデヒド、1,2,3-トリブロモプロパン、トルイジン、ピペリジン、ビリジン、ブタノール、フタル酸ジオクチル、フタル酸ジブチル、1,4-ブタンジオール、t-ブチルアルコール、プロパノール、プロパンジオール、1-ブロモオクタデカン、1-ブロモオクタン、1-ブロモ-2-クロロエタン、1-ブロモ-2-クロロエチレン、ブロモシクロヘキサン、1-ブロモテトラデカン、1-ブロモデカン、1-ブロモトリデカン、2-ブロモ-2-ブテン、1-ブロモヘキサデカン、1-ブロモヘキサン、1-ブロモヘプタン、1-ブロモペンタデカン、1-ブロモペンタン、ブロモホルム、ヘキサクロロ-1,3-ブタジエン、1-ヘキサデカノール、1-へキサノール、ヘプタナール、4-ヘプタナール、4-へブタノン、ベンズアルデヒド、1-ペンタノール、2-ペンタノン、3-ペンタノン、ホスゲン、ホルムアミド、メチルアミン、4-メチルシクロヘキサノール、2-メチルシクロヘキサノン、2-メチルビリジン、ヨウ化イソブチル、ヨウ化イソプロピル、ヨウ化エチル、ヨウ化ブチル、ヨウ化プロピル、ヨウ化メチル、1-ヨードオクタン、1-ヨードヘキサデカン、1-ヨードヘキサン、1-ヨードペンタン、シロキサン類などが挙げられる。
【００８５】
次に、本実施の形態の電気泳動表示装置１における画像表示の制御方法を説明する。ここでマゼンタの場合は、制御方法及びその作用は前述の説明と同じであるのでその説明は省略し、また、他の色を表示するための制御方法もその手順のみを説明する。
【００８６】
図７（Ａ）は、白色を表示するための制御方法を示す模式図である。図１２は、白色を表示するための制御電界の印加のタイムチャートである。図１２に示すように、白色を表示するためには、制御電界の強さがＶ４で上電極部２側の電極２２をプラスとするように制御電界をｔ１の時間印加する。この場合、この１回の電界の印加ですべてのマイクロカプセルＰ１０ｋ，Ｐ１０ｙ，Ｐ１０ｍ，Ｐ１０ｃの表示面Ｐ１１に白色の帯電粒子Ｐ２ｗが泳動するので、この１回の電界の印加で制御が終了する。
【００８７】
図８（Ｂ）〜（Ｃ）は、黒色を表示するための制御方法を示す模式図である。図８（Ｂ）は、１回目の制御電界を印加した状態を示す図である。図８（Ｃ）は、２回目の制御電界を印加した状態を示す図である。図１３は、黒色を表示するための制御電界の印加のタイムチャートである。図１３に示すように、黒色を表示するためには、制御電界の強さがＶ４で上電極部２側の電極２２をマイナスとするように１回目の制御電界をｔ１の時間印加する。そうすると、図８（Ｂ）に示すようにマイクロカプセルＰ１０ｋ，Ｐ１０ｙ，Ｐ１０ｍ，Ｐ１０ｃがそれぞれＫ、Ｙ、Ｍ、Ｃを表示する。次に、図１３に示すように電界強度Ｖ３で上電極部２側の電極２２をプラスとするように２回目の制御電界をｔ２の時間印加する。この２回目の制御電界の印加で図８（Ｃ）に示すようにマイクロカプセルＰ１０ｋを除いた、マイクロカプセルＰ１０ｙ，Ｐ１０ｍ，Ｐ１０ｃの表示面Ｐ１１に白色の帯電粒子Ｐ２ｗが泳動し制御が終了する。
【００８８】
図１０（Ｇ）〜（Ｉ）は、イエローを表示するための制御方法を示す模式図である。図１０（Ｇ）は、１回目の制御電界を印加した状態を示す図である。図１０（Ｈ）は、２回目の制御電界を印加した状態を示す図である。図１０（Ｉ）は、３回目の制御電界を印加した状態を示す図である。図１５は、イエローを表示するための制御電界の印加のタイムチャートである。図１５に示すように、イエローを表示するためには、制御電界の強さがＶ４で上電極部２側の電極２２をプラスとするように１回目の制御電界をｔ１の時間印加する。そうすると、マイクロカプセルＰ１０ｋ，Ｐ１０ｙ，Ｐ１０ｍ，Ｐ１０ｃはすべてＷを表示する。次に、図１５に示すように電界強度Ｖ３で上電極部２側の電極２２をマイナスとするように２回目の制御電界をｔ２の時間印加する。この２回目の制御電界の印加で図１０（Ｈ）に示すようにマイクロカプセルＰ１０ｋを除いた、マイクロカプセルＰ１０ｙ，Ｐ１０ｍ，Ｐ１０ｃの表示面Ｐ１１にそれぞれＹ、Ｍ、Ｃが表示される。そして電界強度Ｖ２で上電極部２側の電極２２をプラスとするように３回目の制御電界をｔ３の時間印加する。この３回目の制御電界の印加で図１０（Ｉ）に示すようにマイクロカプセルＰ１０ｋ，Ｐ１０ｙを除いた、マイクロカプセルＰ１０ｍ，Ｐ１０ｃの表示面Ｐ１１にそれぞれＷが表示され制御が終了する。
【００８９】
図１１（Ｊ）〜（Ｋ）は、シアンを表示するための制御方法を示す模式図である。図１１（Ｊ）は、１回目の制御電界を印加した状態を示す図である。図１１（Ｋ）は、２回目の制御電界を印加した状態を示す図である。図１６は、シアンを表示するための制御電界の印加のタイムチャートである。図１６に示すように、シアンを表示するためには、制御電界の強さがＶ４で上電極部２側の電極２２をプラスとするように１回目の制御電界をｔ１の時間印加する。そうすると、図１１（Ｊ）に示すようにマイクロカプセルＰ１０ｋ，Ｐ１０ｙ，Ｐ１０ｍ，Ｐ１０ｃがすべてＷを表示する。次に、図１６に示すように電界強度Ｖ１で上電極部２側の電極２２をマイナスとするように２回目の制御電界をｔ２の時間印加する。この２回目の制御電界の印加で図１１（Ｋ）に示すようにマイクロカプセルＰ１０ｃのみが反応して表示面Ｐ１１にシアンの帯電粒子Ｐ２ｃが泳動し制御が終了する。
【００９０】
本実施の形態の記録媒体ＰＰ及び電気泳動表示装置１は上記のような構成・作用を有するため、以下のような効果がある。即ち、複数種類のマイクロカプセルＰ１０を、ランダムに配列するだけで、液晶ディスプレーのようにカラーフィルターを使用したり、イエロー、マゼンタ、シアン、ブラック（以下それぞれＹ、Ｍ、Ｃ、Ｋと略記する。）とホワイト（以下Ｗと略記する）とを表示する各マイクロカプセルを１ドット毎に個別に所定位置に配置する必要がなく、各々を電界制御してカラー画像を表示・記録することができる記録媒体とすることができるという効果がある。
【００９１】
また、このように複数種類のマイクロカプセルＰ１０を、ランダムに配列するだけで、生産可能な記録媒体とすることで記録媒体ＰＰの生産コストを著しく低下させることができるという効果がある。
【００９２】
さらに、このような記録媒体ＰＰに画像を表示させ記録させる電気泳動表示装置１は記録媒体ＰＰとの細かい位置合わせ等が不要なため複雑な構造とすることなく、印加する制御電界の強さを変化させるだけで複数色から任意の色を表示させカラー画像を表示・記録させることができる。従って、記録媒体ＰＰばかりでなく、電気泳動表示装置１についても低コストで提供できるという効果がある。
【００９３】
なお、１の実施の形態及びその変形例に基づき本発明を説明したが、例えば、記録媒体の構成、例えばマイクロカプセルや帯電粒子が構成される材料、大きさ、その帯電電位、着色される色彩等種々の変形実施が可能である。また、電極の構成や、印加される電圧の大きさ等も種々の変形実施が可能である。また、画像形成の方法も記録媒体ＰＰを移動させずに、上電極部２を移動させることで記録媒体に対して相対的に移動して画像を形成したり、記録媒体ＰＰ全体を覆う電極で画像を形成するようにしてもよい。
【００９４】
以上、本発明は上述した実施の形態及びその変形例に何ら限定されるものではなく、本発明の趣旨を逸脱しない範囲で種々の改良変更が可能であることは容易に推察できるものであることはいうまでもない。
【００９５】
【発明の効果】
上記説明から明らかなように、請求項１に係る発明の記録媒体では、前記第一の帯電粒子と、前記第二帯電粒子とは、互いに異なる色であり、前記多数のマイクロカプセルは、層状に形成され、前記多数のマイクロカプセルは、複数種類のマイクロカプセルから構成され、マイクロカプセルの種類毎に、マイクロカプセルに封入された前記第二帯電粒子の色及び前記第二帯電粒子の当該マイクロカプセルの壁面に対する鏡像力が異なるため、前記第二帯電粒子の鏡像力の差を利用して、異なる強度の制御電界を印加することで特定の強度の鏡像力を有する第二帯電粒子が封入されたマイクロカプセルの帯電粒子を選択的に移動させることができるという効果がある。
【００９６】
請求項２に係る発明の記録媒体では、請求項１に記載の記録媒体の効果に加え、加法混色の３原色と白色及び黒色の一方又は両方の帯電粒子を用いることで、これらを選択的に移動させることでフルカラー表示が可能になるという効果がある。
【００９７】
請求項３に係る発明の記録媒体では、請求項１又は請求項２に記載の記録媒体の効果に加え、分散媒の比誘電率を変更することでマイクロカプセルの壁面に対する帯電粒子の鏡像力の強さを調整できるという効果がある。
【００９８】
請求項４に係る発明の記録媒体では、請求項１乃至請求項３のいずれかに記載の記録媒体の効果に加え、帯電粒子の半径を変更することでマイクロカプセルの壁面に対する帯電粒子の鏡像力の強さを調整できるという効果がある。
請求項５に係る発明の記録媒体では、請求項１乃至請求項４のいずれかに記載の記録媒体の効果に加え、第一のマイクロカプセルに封入された前記第二帯電粒子のうち、粒子径が最も小さい前記第二帯電粒子の前記マイクロカプセルの壁面に対する鏡像力が、第一のマイクロカプセルとは種類が異なる第二のマイクロカプセルに封入された前記第二帯電粒子のうち、粒子径が最も大きい前記第二帯電粒子の前記マイクロカプセルの壁面に対する鏡像力より大きいものを用いることで、第二帯電粒子の鏡像力の差を利用して、異なる強度の制御電界を印加することで特定の強度の鏡像力を有する第二帯電粒子が封入されたマイクロカプセルの第二帯電粒子を選択的に移動させることができるという効果がある。
【００９９】
請求項６に係る発明の記録媒体では、請求項１乃至請求項４のいずれかに記載の記録媒体の効果に加え、マイクロカプセルの壁面に対する第二帯電粒子の鏡像力が、相互に他の種類のマイクロカプセルの鏡像力の１．２３倍以上或いは１．２３分の１以下に異なるように構成されるため、鏡像力の調整の誤差により鏡像力逆転し、第二帯電粒子を移動させたいマイクロカプセルの種類の選択が誤ってしまうことがない安全値を確保できるため、移動させたい第二帯電粒子を誤りなく移動でき、もって高品質な画像を表示できるという効果がある。
【０１００】
請求項７に係る発明の電気泳動表示装置では、請求項１乃至請求項６のいずれかに記載の記録媒体を用い、記録媒体に印加する制御電界の強さを変化させることで鏡像力の差により選択的に前記第一及び第二帯電粒子を移動させて表示できるという効果がある。
【０１０１】
請求項８に係る発明の電気泳動表示装置では、請求項７に記載の電気泳動表示装置の効果に加え、段階的に制御電界を弱め同時に制御電界の方向を逆転することで制御電界により反応するマイクロカプセルの種類を少なくし且つ前記帯電粒子の移動方向を反転させることで表示面と非表示面に色毎に帯電粒子を移動させる手順による選択移動制御を繰り返し行い、表示面に表示したい色の帯電粒子のみを選択的に表示させることができるという効果がある。
請求項９に係る発明の電気泳動表示装置では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子を裏面側に移動させ、且つ、当該マイクロカプセルに封入された第一帯電粒子を第二帯電粒子よりも表面側に移動させて、請求項１乃至請求項６のいずれかに記載の記録媒体に特定の色を表示するように制御するので、表示面に表示したい色の帯電粒子のみを選択的に表示させることができるという効果がある。
請求項１０に係る発明の記録媒体の制御方法では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させ、前記第一の電界の向きと同方向で、前記第二の電界よりも弱い第三の電界を印加して、前記特定色の第二帯電粒子よりも弱い鏡像力をもつ第二帯電粒子を備えたマイクロカプセルに封入された第二帯電粒子の裏面側に移動させ、且つ、当該マイクロカプセルに封入された第一帯電粒子を第二帯電粒子よりも表面側に移動させるので、表示面に表示したい色の帯電粒子のみを選択的に表示させることができるという効果がある。
請求項１１に係る発明の電気泳動表示装置では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させるので、表示面に表示したい色の帯電粒子のみを選択的に表示させることができるという効果がある。
請求項１２に係る発明の記録媒体の制御方法では、前記制御手段は、前記電圧印加手段を制御して、前記電極部から前記記録媒体に対して、全ての種類のマイクロカプセルの前記第一帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力以下の鏡像力を持つ前記第二帯電粒子を備えたマイクロカプセルに封入された第二帯電粒子を表面側に移動させ、且つ、当該マイクロカプセルに封入された第一帯電粒子を前記第二帯電粒子より裏面側に移動させるので、表示面に表示したい色の帯電粒子のみを選択的に表示させることができるという効果がある。
請求項１３に係る発明の電気泳動表示装置では、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させるので、表示面に表示したい色の帯電粒子のみを選択的に表示させることができるという効果がある。
請求項１４に係る発明の記録媒体の制御方法では、前記制御手段は、前記電圧印加手段を制御して、前記電極部から前記記録媒体に対して、全ての種類のマイクロカプセルの前記第二帯電粒子を各マイクロカプセルの表面側に移動させる第一の電界を印加し、次に、当該第一の電界の向きと逆方向、且つ、前記第一の電界よりも弱い第二の電界を印加して、特定の色の第二帯電粒子の鏡像力よりも弱い鏡像力を持つ前記第二帯電粒子を備えたマイクロカプセルに封入された第一帯電粒子を表面側に移動させ、且つ、当該マイクロカプセルに封入された第二帯電粒子を前記第一帯電粒子より裏面側に移動させるので、表示面に表示したい色の帯電粒子のみを選択的に表示させることができるという効果がある。
【図面の簡単な説明】
【図１】  電気泳動表示装置１の構成の概略を示す模式図である。
【図２】  記録媒体ＰＰに対する、上電極部２及び下電極部３の配置を模式的示す斜視図である。
【図３】  記録媒体ＰＰの構成を示す模式断面図である。
【図４】  マイクロカプセルＰ１０の構成及び制御電界を受けた場合の変化の様子を表す図である。
（Ａ）  本実施の形態の記録媒体ＰＰにおいて制御電界が印加される前のマイクロカプセルＰ１０の構造を示す模式図である。
（Ｂ）  均一な上向きの電界を印加した状態のマイクロカプセルＰ１０ａ内の帯電粒子Ｐ２ｋ，Ｐ２ｗの状態を示す模式図である。
（Ｃ）  帯電粒子Ｐ２ｋ，Ｐ２ｗが、それぞれ電極３２，２２側に引き寄せられてマイクロカプセルＰ１０ａのカプセル壁Ｐ５の内壁面に付着した状態を示す。
【図５】  記録媒体ＰＰに上電極部２の電極２２ａ，２２ｂ及び下電極部３の電極３２ａ，３２ｂにより電界を印加した状態を表す模式図である。
【図６】  電極アレイ駆動部６と記録媒体ＰＰを示す模式図である。
【図７】    白色を表示するための制御方法を示す模式図である。
（Ａ）  １回目の制御電界を印加した状態を示す図である。
【図８】  黒色を表示するための制御方法を示す模式図である。
（Ｂ）  １回目の制御電界を印加した状態を示す図である。
（Ｃ）  ２回目の制御電界を印加した状態を示す図である。
【図９】  マゼンタを表示するための制御方法を示す模式図である。
（Ｄ）  １回目の制御電界を印加した状態を示す図である。
（Ｅ）  ２回目の制御電界を印加した状態を示す図である。
（Ｆ）  ３回目の制御電界を印加した状態を示す図である。
【図１０】  イエローを表示するための制御方法を示す模式図である。
（Ｇ）  １回目の制御電界を印加した状態を示す図である。
（Ｈ）  ２回目の制御電界を印加した状態を示す図である。
（Ｉ）  ３回目の制御電界を印加した状態を示す図である。
【図１１】  シアンを表示するための制御方法を示す模式図である。
（Ｊ）  １回目の制御電界を印加した状態を示す図である。
（Ｋ）  ２回目の制御電界を印加した状態を示す図である。
【図１２】  白色を表示するための制御電界の印加のタイムチャートである。
【図１３】  黒色を表示するための制御電界の印加のタイムチャートである。
【図１４】  マゼンタを表示するための制御電界の印加のタイムチャートである。
【図１５】  イエローを表示するための制御電界の印加のタイムチャートである。
【図１６】  シアンを表示するための制御電界の印加のタイムチャートである。
【図１７】  誘電体が平面で接しているときの点電荷ｑに作用する鏡像力を説明する図である。
【符号の説明】
１    電気泳動表示装置
２    上電極部（電極部）
３    下電極部（電極部）
４    制御部
５    記録媒体搬送部
５１，５２  搬送ローラ
６    電極アレイ駆動部（電圧印加手段）
６１  電源部（電源部）
６２，６３  切り替えスイッチ
６４  電圧調整手段
７    モータ駆動回路
８    配線
９    駆動モータ
１０    コンピュータ
２１    電極アレイ
２２（２２ａ，２２ｂ，２２ｃ，・・・２２ｎ）  電極
３１    電極アレイ
３２（３２ａ，３２ｂ，３２ｃ，・・・３２ｎ）  電極
５１、５２  搬送ローラ
ＥＬ  電気力線
ＰＰ  記録媒体
Ｐ１  基層
Ｐ２  帯電粒子
Ｐ２ｋ  （黒色）帯電粒子
Ｐ２ｗ  （白色）帯電粒子
Ｐ２ｙ  （イエロー）帯電粒子
Ｐ２ｍ  （マゼンタ）帯電粒子
Ｐ２ｃ  （シアン）帯電粒子
Ｐ３  帯電表示層
Ｐ４  液体分散媒
Ｐ５  カプセル壁
Ｐ１０  マイクロカプセル
Ｐ１０ｋ  （黒色）マイクロカプセル
Ｐ１０ｙ  （イエロー）マイクロカプセル
Ｐ１０ｍ  （マゼンタ）マイクロカプセル
Ｐ１０ｃ  （シアン）マイクロカプセル
Ｐ１１  表示面
Ｐ１２  可撓性媒体
【図１】
0004385438.tif 000002
【図２】
0004385438.tif 000003
【図３】
0004385438.tif 000004
【図４】
0004385438.tif 000005
【図５】
0004385438.tif 000006
【図６】
0004385438.tif 000007
【図７】
0004385438.tif 000008
【図８】
0004385438.tif 000009
【図９】
0004385438.tif 000010
【図１０】
0004385438.tif 000011
【図１１】
0004385438.tif 000012
【図１２】
0004385438.tif 000013
【図１３】
0004385438.tif 000014
【図１４】
0004385438.tif 000015
【図１５】
0004385438.tif 000016
【図１６】
0004385438.tif 000017
【図１７】
0004385438.tif 000018